(57)【要約】      （修正有）【課題】重量を変えることなくフェース−バック方向のみならずクラウン−ソール方向の２方向に、重心を、広範囲で、かつ細かく調整しながら移動させることができるゴルフクラブヘッドを提供する。【解決手段】２方向に重心調整可能なゴルフクラブヘッド４は、ボールを打つ打球面を有するフェース部１１と、フェース部１１の下方に位置するソール部１２と、ソール部１２の上方を覆うクラウン部１３と、を少なくとも具備するヘッド本体５を有し、ヘッド４は、少なくともヘッド本体５と、該ヘッド４の重心を調整可能な舌片６を備え、舌片６には、支点となる一端２７と、重りとなる先端部と、を有し、ソール部１２には、一部を平坦な面とした基準面２０と、その基準面２０の一部を大きく切欠いた凹部と、を形成し、舌片６をソール部１２の凹部内に配置し、凹部に舌片６の一端２７を支点に回動自在に取着した。【選択図】図８
2015036097.tif 000002
【特許請求の範囲】
【請求項１】
ボールを打つ打球面（１０）を有するフェース部（１１）と、
前記フェース部の下方に位置するソール部（１２）と、
前記ソール部の上方を覆うクラウン部（１３）と、を少なくとも具備するヘッド本体（５）を有するゴルフクラブヘッド（４）において、
前記ヘッドは、少なくとも前記ヘッド本体と、該ヘッドの重心を調整可能な舌片（６）とを備え、
前記舌片には、支点となる一端（２７）と、重りとなる先端部（２６）と、を有し、
前記ソール部には、一部を平坦な面とした基準面（２０）と、その基準面の一部を大きく切欠いた凹部（２２）と、を形成し、
前記舌片を前記ソール部の凹部内に配置し、前記凹部に前記舌片の一端を支点に回動自在に取着したことを特徴とする２方向に重心調整可能なゴルフクラブヘッド。
【請求項２】
前記ソール部の凹部に、前記舌片を回動自在に支持するとともに所定の角度ごとに固定することができる固定手段（７）を備えたことを特徴とする請求項１に記載の２方向に重心調整可能なゴルフクラブヘッド。
【請求項３】
前記ソール部の前記基準面を基準として、前記舌片の角度を、前記基準面に対し−１５度から４５度の範囲で回動させることができることを特徴とする請求項１に記載の２方向に重心調整可能なゴルフクラブヘッド。
【請求項４】
前記舌片の材質をステンレスまたはタングステンとしたことを特徴とする請求項１に記載の２方向に重心調整可能なゴルフクラブヘッド。
【発明の詳細な説明】
【技術分野】
【０００１】  本発明は、重量を変えることなくフェース−バック方向のみならずクラウン−ソール方向の２方向に重心位置を変更することができる重心調整可能なゴルフクラブヘッドに関する。
【背景技術】
【０００２】  一般的にゴルフクラブを購入する際に使用者は、それぞれの体力やスイングの軌道、特徴等の状況を把握し、それぞれに合致した重量及び重心位置を見つけ出し、使用者にとって理想的なボールを打つことができるゴルフクラブを選択していた。特にウッド系クラブであるドライバーは、ボールをより遠くに飛ばすことを目的として作られているため、飛距離がでるゴルフクラブを選択することになる。しかし、使用者の状況は変化しやすく、上達と共にスイングスピードが早くなり、ボールのスピン量が上がってくる。このように時間の経過と共に購入したゴルフクラブが合わなくなることも少なくない。なお、ボールの飛距離には、ボールのスピン（バックスピン）量と弾道とが密接に関係している。まず、ボールのスピン量は、不足しても過剰でも飛距離は伸びなく、適正スピン量は２，２００ないし２，６００ｒｐｍとされている。次に弾道も低弾道でも高弾道でも飛距離は伸びない。【０００３】  そこで、使用者は状況に合わせるべく、重心位置を変化させるため、鉛のシートなどをゴルフクラブヘッドのソール部分に貼り付け、重心位置を調整してボールのスピン量や弾道を調整していた。しかし、この方法では、重心位置を変更することはできるが、重量も代わってしまう。使用者にとって重量が変化するとスイングは安定せず、重心位置を変えてもデメリットの方が大きかった。ちなみに、重心位置の移動方向は、大きく３方向に分類されている。トゥ−ヒール方向（図３参照：Ｘ−Ｘ１方向）、クラウン−ソール方向（図３参照：Ｙ−Ｙ１方向）及びフェース−バック方向（図４参照：Ｚ−Ｚ１方向）がある。【０００４】  これらの問題を鑑みて重量を変えることなく、重心位置を変える技術が種々提案されている。例えば、特許文献１には、重量の増加を抑制しつつ重心位置を変更可能とする技術が開示されている。すなわち、ヘッド１は打球面を有するフェース部１１Ａと、フェース部１１Ａに接続され、案内溝２０が形成されたソール部１４と、案内溝２０に沿って移動可能なようにソール部１４に取り付けられた重量体４１とを備えている。そして、前記重量体４１を前記案内溝２０に沿って移動させることによって、重心位置をフェース−バック方向及びトゥ−ヒール方向に移動させることができる。しかし、この構造では、重量体４１の重量または案内溝の溝形状、すなわち、重量体または案内溝のいずれかまたはその両方の重量を変えないとクラウン−ソール方向に重心位置を移動させることはできなかった。【０００５】  同様に、特許文献２にも、重心位置を変更可能とする技術が開示されている。すなわち、ヘッド１の底面にスライド溝１１を設け、そのスライド溝１１の中に重り２をそのスライド溝１１に対して任意の位置で固定する手段を備えている。しかし、この場合も、特許文献１と同様に、重心位置をフェース−バック方向及びトゥ−ヒール方向に移動させることはできるが、重量を変えずにクラウン−ソール方向に重心を移動することはできなかった。
【先行技術文献】
【特許文献】
【０００６】
【特許文献１】特開２０１０−２５２９６４号公報
【特許文献２】実用新案登録第３１０９５０１号公報
【発明の概要】
【発明が解決しようとする課題】
【０００７】  本発明は、上述した問題を解決するためになされたもので、舌片を前記ソール部の凹部内に配置し、前記凹部に前記舌片の一端を支点に回動自在に取着することにより、重量を変えることなくフェース−バック方向のみならずクラウン−ソール方向の２方向に、重心を、広範囲で、かつ細かく調整しながら移動させることできるゴルフクラブヘッドを、提供することを目的とする。
【課題を解決するための手段】
【０００８】  本発明の２方向に重心調整可能なゴルフクラブヘッドは、少なくともヘッド本体と、該ヘッドの重心を調整可能な舌片とを備え、前記舌片には、支点となる一端と、重りとなる先端部と、を有し、前記ソール部には、一部を平坦な面とした基準面と、その基準面の一部を大きく切欠いた凹部と、を形成し、前記舌片を前記ソール部の凹部内に配置し、前記凹部に前記舌片の一端を支点に回動自在に取着したことを特徴としている。【０００９】  また、前記２方向に重心調整可能なゴルフクラブヘッドは、前記ソール部の凹部に、前記舌片を回動自在に支持するとともに所定の角度ごとに固定することができる固定手段を備えたことを特徴としている。【００１０】  さらに、前記ソール部の前記基準面を基準として、前記舌片の角度を、前記基準面に対し−１５度から４５度の範囲で回動させることを特徴としている。【００１１】  また、前記２方向に重心調整可能なゴルフクラブヘッドは、前記舌片の材質をステンレスまたはタングステンとしたことを特徴としている。
【発明の効果】
【００１２】  本発明の２方向に重心調整可能なゴルフクラブヘッドは、少なくともヘッド本体と、該ヘッドの重心を調整可能な舌片とを備え、前記舌片には、支点となる一端と、重りとなる先端部と、を有し、前記ソール部には、一部を平坦な面とした基準面と、その基準面の一部を大きく切欠いた凹部と、を形成し、前記舌片を前記ソール部の凹部内に配置し、前記凹部に前記舌片の一端を支点に回動自在に取着したことにより、重量を変えることなくフェース−バック方向のみならずクラウン−ソール方向の２方向に重心を調整しながら移動させることできる。【００１３】  また、前記２方向に重心調整可能なゴルフクラブヘッドは、前記ソール部の凹部に、前記舌片を回動自在に支持するとともに所定の角度ごとに固定することができる固定手段を備えたことにより、細かく前記ヘッドの重心位置を調整しながら移動させることができる。【００１４】  さらに、前記２方向に重心調整可能なゴルフクラブヘッドは、前記ソール部の前記基準面を基準として、前記舌片の角度を、前記基準面に対し−１５度から４５度の範囲で回動させることができることにより、広範囲に前記ヘッドの重心を移動させることができる。【００１５】  また、前記２方向に重心調整可能なゴルフクラブヘッドは、前記舌片の材質を、前記ヘッド本体の材質であるチタンよりも比重の重いステンレスまたはタングステンとしたことにより、ソール部の一部を大きく切欠いた凹部によって軽くなってしまったヘッドを、通常の適正重量にする調整することができる。
【図面の簡単な説明】
【００１６】
【図１】ゴルフクラブの構成を示した正面図
【図２】本発明におけるヘッドを示した分解図
【図３】本発明におけるヘッド本体を示した正面図
【図４】本発明におけるヘッド本体を示した左側面図
【図５】本発明におけるヘッド本体を示した底面図
【図６】本発明における固定手段（ガイド部材）と凹部との関係を示した斜視図
【図７】本発明における舌片と固定手段（ガイド部材）との関係を示した斜視図
【図８】舌片の回動を示した部分断面図
【図９】ヘッドのクラウン−ソール（Ｙ−Ｙ１）方向の重心位置を示した説明図
【図１０】ヘッドのフェース−バック（Ｚ−Ｚ１）方向の重心位置を示した説明図
【図１１】重心点の実測値を示した図
【発明を実施するための形態】
【００１７】  以下、本発明を実施するための最良の形態を、図面を参照して説明する。図１はゴルフクラブ（ドライバー）１の構成を示した正面図である。図１の如く、ゴルフクラブ１は、グリップ２、シャフト３及びヘッド４で構成されている。
【００１８】  図２前記ヘッド４の分解図である。図２の如く、前記ヘッド４は、ヘッド本体５、前記ヘッド４の重心位置を調整する舌片６及び前記舌片６を所定の位置に固定する固定手段７（図６参照）で構成されている。図３ないし図５は、前記ヘッド本体５の正面図、左側面図及び底面図であり、図３ないし図５の如く、前記ヘッド本体５は、少なくとも、ボールを打つ打球面１０を有するフェース部１１と、前記フェース部１１の下方に位置するソール部１２と、前記ソール部１２の上方を覆うクラウン部１３と、前記シャフト３が挿入されるホーゼル部１４と、で構成されている。本実施の形態では、該ヘッド本体５の材質はチタンとしているが、これに限定されるものではない。
【００１９】  前記フェース部１１は、図３の如く、そのほとんどを前記打球面１０で構成されており、一般的に、図中左側の先端側をトゥ１６、図中右側の根元側をヒール１７と呼んでいる。なお、図中矢印Ｘ−Ｘ１方向をトゥ−ヒール方向としている。同様に図中矢印Ｙ−Ｙ１方向を、クラウン−ソール方向としている。また、前記フェース部１１は、図４の如く、前記ソール部１２から前記クラウン部１３に向けてロフト１８と呼ばれる８度〜１６度くらいの傾斜が設けられている。ロフト１８は、使用者のスイングスピードに合わせ、スイングスピードが速い人は角度を小さく、スイングスピードが遅い人は角度を大きくすると飛距離が出やすい。さらに、前記フェース部１１は、図５の如く、中央がわずかに膨らんだ曲面（バルジ）になっている。
【００２０】  前記ソール部１２は、図５の如く、平坦な基準面２０が設けられており、図中上方の前記フェース部１１に対して、下方をバック２１と呼んでいる。なお、図中矢印Ｚ−Ｚ１方向をフェース−バック方向としている。フェース−バック方向の中間点よりやや前記バック２１側には、前記基準面２０の一部を大きく切り欠いた凹部２２が形成されている。
【００２１】  図６は、前記固定手段であるガイド部材７の構成を示すと共に前記ヘッド本体５の凹部２２との関係を示す斜視図である。図６の如く、前記ガイド部材７はそれぞれの側壁２３，２３に孔２４，２４が設けられている。該ガイド部材７は、前記ヘッド本体５の凹部２２に埋め込まれている。
【００２２】  図７は、前記舌片６の構成を示すと共に前記ガイド部材７との関係を示す斜視図である。前記舌片６は、板状の薄板２５の先端部２６を図中上方に向けた略Ｌ字状に形成されている。前記先端部２６は、前記薄板２５よりも肉厚となっており、重りの役目をしている。前記薄板２５のもう一端には、一対の軸部２７，２７が設けられており、この軸部２７，２７を前記ガイド部材７の側壁２３，２３の孔２４，２４にそれぞれ係合させ、この一対の軸部２７を支点として、前記舌片６は、図中矢印方向に回動自在となっている。
【００２３】  本実施の形態では、該舌片６の材質は、前記ヘッド本体５のチタンより比重の重いタングステンとしているが、ステンレスにしても良いし、これらに限定されるものではない。前記舌片６は、所定の角度（５度）ごとに回動可能としており、図示しないねじ等により前記ガイド部材７に強固に固定される
【００２４】  図８は、前記舌片６の回動を示した部分断面図であり、図８（ａ）は、前記舌片６の薄板２５の底面が前記ヘッド本体５のソール部１２の基準面２０と同一面に位置されている状態を示している。この状態を前記舌片６の初期位置（角度０度）としている。該舌片６は、前記ガイド部材７によって固定されている。このガイド部材７の固定（ねじ）を解除することにより、前記舌片６は前記軸部２７を支点として角度５度毎に回動自在となる。
【００２５】  前記舌片６を初期位置（角度０度）から図中時計回転方向に９段階、すなわち、４５度回動させると、図８（ｂ）の状態となる。同様に、図８（ａ）の前記舌片６を初期位置（角度０度）から図中反時計回転方向に３段階、すなわち、−１５度回動させると、図８（ｃ）の状態となる。本実施の形態のゴルフクラブ１はドライバーであり、周知の如く、ドライバーを使用する際は、地面にボールが置かれている状態ではなく、ティーアップされている状態で使用するため、図８（ｃ）の如く、舌片６が前記ソール部１２の基準面２０よりも前記舌片６が図中下方に突出していても、使用に支障をきたすことは無い。本実施の形態では、前記舌片６の回動範囲を、基準面２０を基準として、４５度から−１５度にしているが、これに限定されるものではない。
【００２６】  前記舌片６を図８（ｂ）、図８（ｃ）の如く、回動させると、前記ヘッド４の重心位置は移動することになる。図９は、前記ヘッド４の重心高さ方向、すなわち、クラウン−ソール（Ｙ−Ｙ１）方向の重心位置を示した説明図であり、前記舌片６が図８（ａ）の初期位置（角度０度）のときのクラウン−ソール（Ｙ−Ｙ１）方向の重心点をＰ０で示している。
【００２７】  前記舌片６を図８（ｂ）の如く、４５度時計回転方向に回動させて前記ガイド部材７（図示せず）で固定すると、クラウン−ソール（Ｙ−Ｙ１）方向の重心点は図９のＰ１に移動する。同様に、前記舌片６を図８（ｃ）の如く、−１５度反時計回転方向に回動させて前記ガイド部材７（図示せず）で固定すると、クラウン−ソール（Ｙ−Ｙ１）方向の重心点は図９のＰ２に移動する。
【００２８】  図１０は前記ヘッド４の重心深さ方向、すなわち、フェース−バック（Ｚ−Ｚ１）方向の重心位置を示した説明図であり、前記舌片６が図８（ａ）の初期位置（角度０度）のときのフェース−バック（Ｚ−Ｚ１）方向の重心点をＰ０で示している。前記舌片６を図８（ｂ）の如く、４５度時計回転方向に回動させて前記ガイド部材７（図示せず）で固定すると、フェース−バック（Ｚ−Ｚ１）方向の重心点は図１０のＰ３に移動する。同様に、前記舌片６を図８（ｃ）の如く、−１５度反時計回転方向に回動させて前記ガイド部材７（図示せず）で固定すると、フェース−バック（Ｚ−Ｚ１）方向の重心点は図１０のＰ４に移動する。
【００２９】  このように、前記舌片６を回動させることにより、重量を変えることなく、クラウン−ソール（Ｙ−Ｙ１）方向及びフェース−バック（Ｚ−Ｚ１）方向の重心点を移動させることができる。
【００３０】  図１１は本実施の形態における重心点の実測値を示した図である。前記舌片６を図８（ｂ）の如く、４５度時計方向に回動させた位置から、図８（ｃ）の如く、−１５度反時計方向に回動させた位置まで、５度ずつ移動させてクラウン−ソール（Ｙ−Ｙ１）方向とフェース−バック（Ｚ−Ｚ１）方向の重心点を測定した結果である。本実施の形態のヘッド本体５（ガイド部材７を含む）の重量は１４５ｇであり、舌片６の重量は５０ｇである。
【００３１】  従って、ヘッド４の総重量は１９５ｇとなっている。なお、一般的なドライバーのヘッドの重量は１８５ｇから２１０ｇ程度である。上記条件のもと、前記舌片６が図８（ａ）の如く、初期位置（角度０度）のとき、クラウン−ソール（Ｙ−Ｙ１）方向の重心点Ｐ０は、図９の基準線Ｘから２６．９５ｍｍに位置し、フェース−バック（Ｚ−Ｚ１）方向の重心点Ｐ０は、図１０の基準線Ｙから４０．６７ｍｍに位置している。
【００３２】  前記舌片６を図８（ｂ）の如く、４５度時計回転方向に回動させて前記ガイド部材７（図示せず）で固定すると、クラウン−ソール（Ｙ−Ｙ１）方向の重心点Ｐ１は、基準線Ｘから２８．０６ｍｍに位置し、フェース−バック（Ｚ−Ｚ１）方向の重心点Ｐ３は、基準線Ｙから３９．４８ｍｍに位置している。すなわち、初期位置（角度０度）からクラウン−ソール（Ｙ−Ｙ１）方向で１．１１ｍｍ、フェース−バック（Ｚ−Ｚ１）方向で１．１９ｍｍ、重心点が移動したことになる。重心は、クラウン−ソール（Ｙ−Ｙ１）方向で１．１１ｍｍ高くなり、フェース−バック（Ｚ−Ｚ１）方向で１．１９ｍｍ浅くなる。
【００３３】  同様に、前記舌片６を図８（ｃ）の如く、−１５度反時計回転方向に回動させて前記ガイド部材７（図示せず）で固定すると、クラウン−ソール（Ｙ−Ｙ１）方向の重心点Ｐ２は、基準線Ｘから２６．４５ｍｍに位置し、フェース−バック（Ｚ−Ｚ１）方向の重心点Ｐ４は、基準線Ｙから４０．８７ｍｍに位置している。すなわち、初期位置（角度０度）からクラウン−ソール（Ｙ−Ｙ１）方向で０．５０ｍｍ、フェース−バック（Ｚ−Ｚ１）方向で０．２０ｍｍ、重心点が移動したことになる。重心は、クラウン−ソール（Ｙ−Ｙ１）方向で０．５０ｍｍ低くなり、フェース−バック（Ｚ−Ｚ１）方向で０．２０ｍｍ深くなる。
【００３４】  なお、本実施の形態のクラブは、ドライバーとして記載しているが、これに限定されるものではなく、いわゆるフェアウェイウッド（スプーン等）でもよい。但し、本発明の技術をフェアウェイウッドに利用する場合、前記舌片６を前記基準面２０よりも下方に突出させると、クラブを使用する際に支障をきたすことが考えられることから、前記舌片６は基準面２０よりも下方に突出させないように設定するとよい。
【００３５】  以上によれば、本発明の２方向に重心調整可能なゴルフクラブヘッド４は、少なくとも前記ヘッド本体５と、該ヘッド４の重心を調整可能な舌片６とを備え、前記舌片６には、支点となる軸部２７と、重りとなる先端部２６と、を有し、前記ソール部１２には、一部を平坦な面とした基準面２０と、その基準面の一部を大きく切欠いた凹部２２と、を形成し、前記舌片６を前記ソール部１２の凹部２２内に配置し、前記凹部２２に前記舌片６の軸部２７を回動自在に取着したことにより、重量を変えることなくフェース−バック（Ｚ−Ｚ１）方向のみならずクラウン−ソール（Ｙ−Ｙ１）方向の２方向に重心を調整しながら移動させることできる。
【００３６】  また、前記２方向に重心調整可能なゴルフクラブヘッド４は、前記ソール部１２の凹部２２に、前記舌片６を回動自在に支持するとともに所定の角度（５度）ごとに固定することができるガイド部材７を備えたことにより、クラウン−ソール（Ｙ−Ｙ１）方向で０．０８〜０．１７ｍｍずつ、フェース−バック（Ｚ−Ｚ１）方向で０．０６〜０．１６ｍｍずつ前記ヘッド４の重心位置を調整しながら移動させることができる。
【００３７】  さらに、前記２方向に重心調整可能なゴルフクラブヘッド４は、前記ソール部１２の前記基準面２０を基準として、前記舌片６の角度を、前記基準面に対し−１５度から４５度の範囲で回動させることができることにより、クラウン−ソール（Ｙ−Ｙ１）方向で最大１．６１ｍｍ、フェース−バック（Ｚ−Ｚ１）方向で最大１．７９ｍｍ前記ヘッドの重心を移動させることができる。
【００３８】  また、前記２方向に重心調整可能なゴルフクラブヘッド４は、前記舌片６の材質を、前記ヘッド本体５の材質であるチタンよりも比重の重いステンレスまたはタングステンとしたことにより、前記ソール部１２の一部を大きく切欠いた凹部２２によって軽くなってしまったヘッドを、通常の適正重量に調整することができる。
【符号の説明】
【００３９】４          ヘッド
５          ヘッド本体
６          舌片
７          固定手段（ガイド部材）
１０        打球面
１１        フェース部
１２        ソール部
１３        クラウン部
２０        基準面
２２        凹部
２６        先端部
２７        一端（軸部）
【図１】
2015036097.tif 000003
【図２】
2015036097.tif 000004
【図３】
2015036097.tif 000005
【図４】
2015036097.tif 000006
【図５】
2015036097.tif 000007
【図６】
2015036097.tif 000008
【図７】
2015036097.tif 000009
【図８】
2015036097.tif 000010
【図９】
2015036097.tif 000011
【図１０】
2015036097.tif 000012
【図１１】
2015036097.tif 000013